(57)【要約】【課題】落口枡の軽量化を図って作業性を向上し、草刈機による畦の草刈を円滑に行うことができ、また、きめ細かい水位調整を面倒な操作もなく簡単に行うことができ、しかも水位調整目盛により水位調整を速やかに、正確に行うことができる水田用水位調整装置を提供する。【解決手段】水田の畦５１に埋設する落口枡１に水位調整体８が設けてある。落口枡１は水平上面３Ｃが畦５１の上面５１Ａと略同じ高さになるように水平上面３Ｃを截頭状に形成してあり、水平上面３Ｃに転落などの防止用の蓋体６が設けてある。落口枡１の嵌合段部３Ｅ、３Ｅに嵌合し、斜め上下方向に昇降可能に設けた水位調整体８は、先端側９Ａを刃先状に形成して土中に差込み易くしてある。【選択図】  図１
0003136112.tif 000002
【実用新案登録請求の範囲】
【請求項１】
水田の畦に埋設する落口枡と、該落口枡に設ける水位調整体とからなる水田用水位調整装置であって、前記落口枡は上端面が前記畦の上面と略同じ高さになるように該上端面を截頭状に形成すると共に、該上端面に蓋体を設けた構成とし、前記水位調整体は、先端側を刃先状に形成し、該先端側を斜め下方に向けて前記落口枡に昇降可能に支持させてあることを特徴とする水田用水位調整装置。
【請求項２】
前記落口枡には、前記畦に対する変位を防止するための変位防止部を設けてあることを特徴とする請求項１記載の水田用水位調整装置。
【請求項３】
前記蓋体は、前記落口枡の上端に嵌脱可能に設けてあることを特徴とする請求項１記載の水田用水位調整装置。
【請求項４】
前記水位調整体は、前記落口枡に形成した溝に嵌合した状態で設けてあることを特徴とする請求項１記載の水田用水位調整装置。
【請求項５】
前記落口枡には、設定する水位に前記水位調整体を合わせるための水位調整目盛を設けてあることを特徴とする請求項１記載の水田用水位調整装置。
【考案の詳細な説明】
【技術分野】
【０００１】
本考案は、稲の生育時期に応じて水田の水位を調整するために水田の落口に設置する水田用水位調整装置に関する。
【背景技術】
【０００２】
水田には稲の生育に応じた水量、水深などの管理が必要であり、従来から水田の落口に水位調整枡を設置することが行われている。従来の水位調整枡は、コンクリート製の枡本体に調整する水位に応じて選択した高さの異なる止水板を嵌合する構成からなっている。また、エルボパイプの端部を二重にして一方を水位調整側とし、この水位調整側流入口パイプ先端の少なくとも一辺を直線にして、起倒することにより水位調整する水田用排水ゲートが知られている。
【特許文献１】実開平２−４７２３２号公報
【考案の開示】
【考案が解決しようとする課題】
【０００３】
上述した従来の水位調整枡は、高さの異なる複数枚の止水板を用意し、調整する水位に応じて止水板を選択して設置するため、細かな水位調整ができないという欠点、止水板の持ち運びや管理が面倒であるし、紛失する場合もあるといった欠点がある。また、特許文献１に記載の水田用排水ゲートは、何らかの外力が加わると内側パイプが下がって目標の水位より実際の水位が下がってしまうという欠点がある。
【０００４】
本考案は上述した従来技術の諸欠点に鑑みなされたもので、落口枡の軽量化により作業性を向上できるし、落口枡を設置してある畦でも草刈機を用いて畦草刈を支障なく行うことができ、また、きめ細かい水位調整を面倒な操作もなく簡単に行うことができ、しかも落口枡は畦に対して変位することがないので稲作期間を通じて正確な水位調整が可能な水田用水位調整装置を提供することを目的とする。
【課題を解決するための手段】
【０００５】
上述した課題を解決するために構成された本考案の手段は、水田の畦に埋設する落口枡と、該落口枡に設ける水位調整体とからなる水田用水位調整装置であって、前記落口枡は上端面が前記畦の上面と略同じ高さになるように該上端を截頭状に形成すると共に、該上端面に蓋体を設けた構成とし、前記水位調整体は、先端側を刃先状に形成し、該先端側を斜め下方に向けて前記落口枡に昇降可能に支持させたことにある。
【０００６】
そして、前記落口枡には、前記畦に対する変位を防止するための変位防止部を設けた構成にしてある。
【０００７】
また、前記蓋体は、前記落口枡の上端に嵌脱可能に設ける構成にするとよい。
【０００８】
更に、前記水位調整体は、前記落口枡に形成した溝に嵌合した状態で設けるとよい。
【０００９】
また、前記落口枡には、設定する水位に前記水位調整体を合わせるための水位調整目盛を設けるとよい。
【考案の効果】
【００１０】
本考案は上述の如く構成したから、下記の諸効果を奏する。
（１）落口枡は上端面が畦の上面と略同じ高さになるように截頭状に形成し、草刈機による畦の草刈作業時の障害にならないようにしたから、草刈作業を効率よく行うことができる。
（２）落口枡は截頭状に形成して軽量化を図ったから、運搬時や設置時の作業の負担を軽減できる。
（３）水位調整体は刃先状に形成した先端側から土中に差し込むことにより水位調整を行うようにしたから、簡単でかつきめ細かい水位調整を行うことができる。
（４）落口枡に畦に対する変位を防止するための変位防止部を設けたから、落口枡が畦から浮上ったり、横ずれすることがなく、稲作期間を通して正確な水位調整を行うことができるし、保守の手間も少なくできる。
（５）蓋体は落口枡の上端に嵌脱可能に設けたから、落口枡内に滞留する土砂、異物の除去を容易に行うことができる。
（６）水位調整体は落口枡に形成した溝に嵌合した状態で設けたから、斜めの上下方向に横ズレすることなく昇降させることができる。
（７）水位調整体は１枚以上の基板で構成することで、最小枚数で水位調整が可能である。
（８）落口枡に水位調整目盛を設けたから、設定する水位の位置に水位調整体を容易かつ正確に合わせることができ、正確な水位調整が可能である。
【考案を実施するための最良の形態】
【００１１】
以下、本考案の実施の形態を図面に基づき詳述する。図において、１は水田用水位調整装置を構成するコンクリート製の落口枡を示す。２は該落口枡１を構成する平面略長方形の底板で、該底板２の下面２Ａの前後側には幅方向に膨出部２Ｂ、２Ｂを突出形成することにより、土圧や水圧による畦５１からの落口枡１の浮上りや位置ずれ等の変位を防止している。
【００１２】
３、３は該底板２の幅方向両側端から起立した一対の平板からなる側板で、該各側板３は前端下部を垂直前面３Ａに、前端上部を傾斜面３Ｂに、上端を水平上面３Ｃに、後端を垂直後面３Ｄとする縦長の截頭五角形の形状からなり、垂直前面３Ａから傾斜面３Ｂを経て水平上面３Ｃにかけて内側に嵌合段部３Ｅが形成してある。また、側板３は外面３Ｆに縦長の凹部３Ｇ、３Ｇを２列形成して凹凸面にすることにより、側板３に沿って鼠などの小動物が水田に容易に侵入するのを防止すると共に、土圧や水圧による浮上り、前後方向へのずれを防止する効果を果している。
【００１３】
４は底板２から起立して一対の側板３、３に連結する後板を示し、該後板４は下部側に通水穴４Ａを有し、背面には浮上り、横ずれ等の変位を防止すると共に、軽量化のための凹部４Ｂを形成したものからなっている。かくして、落口枡１は底板２と、一対の側板３、３と、後板４とにより、正面において略凵状、平面において略冂状、側面において截頭五角形の形状に成形したものからなるが、特に上部側を従来の落口枡とは異なって截頭状に形成してあり、水田の畦５１に埋設した場合に落口枡１の水平上面３Ｃが畦５１の上面５１Ａと略同じ高さになるようにしてある。
【００１４】
５、５は側板３、３の水平上面３Ｃに凹設した嵌合溝で、該嵌合溝５，５に落口枡１の上側を覆う蓋体６の両端側を嵌脱可能に嵌合するようにしてある。ここで、該蓋６は横長長方形の平板状に形成したものからなり、落口枡１の上側を施蓋することにより、作業者等の転倒や、落下の危険を防止するものである。
【００１５】
更に、７は底板２の上面２Ｃ略中央から両側板３、３の内面にかけて形成した差込溝で、該差込溝７は図示しない止水板を必要に応じて挿嵌するためのものである。
【００１６】
８は落口枡１に組付けた水位調整体を示す。９は該水位調整体８を構成する下側水位調整板で、該下側水位調整板９は落口枡１の嵌合段部３Ｅ、３Ｅ間に嵌合する横幅に形成した長方形の平板からなり、先端側９Ａを土中５２に差込み易いように刃先状に形成したものからなっている。１０は上側水位調整板で、該上側水位調整板１０は下側水位調整板９と同じ横幅の平板からなっている。そして、下側水位調整板９は先端側９Ａを斜め下方に向けて落口枡１の嵌合段部３Ｅ、３Ｅに嵌合し、下側水位調整板９の上端９Ｂに下端１０Ａを当接させた状態で上側水位調整板１０を嵌合段部３Ｅ、３Ｅに嵌合して配設することにより、上側水位調整板１０の上端１０Ｂが水位調整位置になっている。
【００１７】
１１は落口枡１の嵌合段部３Ｅ、３Ｅの下側に嵌合した下側閉塞板、１２は該下側閉塞板１１の上に配列した上側閉塞板で、該両閉塞板１１、１２は落口枡１内に水田から土砂、水、雑物が浸入するのを防止するためのものである。そして、上側閉塞板１２の上端面１２Ａは前記下側水位調整板９の傾斜角度と同じ角度の傾斜面に形成してあり、下側水位調整板９の下面９Ｃに上側閉塞板１２の上端面１２Ａが面接触するようにして、水田からの水の漏出を可及的に防止し、また下側水位調整板９が円滑に昇降動作するようにしてある。
【００１８】
更に、１３は落口枡１の側板３の嵌合段部３Ｅに沿って内面に形成した水位調整目盛である。該水位調整目盛１３は設定する水位の位置に水位調整体８を速やか、かつ正確に設定するためのもので、これにより正確な水位調整を可能にしている。
【００１９】
本実施の形態に係る水田用水位調整装置は上述の構成からなり、落口枡１は水田の畦５１に掘削した凹部に埋設して設置する。この場合、水平上面３Ｃが畦５１の上面５１Ａと略同一面を形成することに注意を払って設置する。このように設置することにより、畦５１を草刈機で草刈する作業の障害を無くし、作業性を高めることができる。そして、図示しない排水管を通水穴４Ａに接続し、落口枡１の外面側に土を埋め戻して落口枡１を埋設する。そして、下側水位調整板９、上側水位調整板１０を嵌合段部３Ｅ、３Ｅに嵌合し、下側水位調整板９を土中５２に斜め方向に適宜の深さまで押し込むことにより、上側水位調整板１０の上端１０Ｂを設定する水位に位置させる。
【００２０】
図３は、下側水位調整板９を土中５２に比較的浅く差込むことにより、水深を深く設定する水位調整を行う場合を示す。図４は、下側水位調整板９を土中５２に深く差込むことにより、上側水位調整板１０の上端１０Ｂを低く設定して水深を浅く設定する水位調整を行う場合を示す。このようにして、水田の水深管理は、下側水位調整板９と上側水位調整板１０からなる水位調整体８により容易に、かつきめ細かに行うことができる。
【００２１】
なお、設定する水位の深浅に応じて、上側水位調整板１０は用いず、下側水位調整板９のみによって水位調整することも可能である。
【００２２】
また、本実施の形態では水位調整体８は下側と上側の２枚の水位調整板９、１０で構成したが、１枚で構成してもよいし、２枚以上で構成してもよいものである。
【００２３】
更に、本実施の形態の変形例として、水位調整体８を縦幅の異なる下側水位調整板９と上側水位調整板１０で構成し、下側水位調整板９の上端側９Ｂを刃先状に形成し、上側水位調整板１０の先端側１０Ａも刃先状に形成し、該上端側９Ｂと先端側１０Ａを衝合させるようにしてもよい。このように構成することにより、両水位調整板９、１０の接触面積を拡大して水の漏洩を可及的に少なくすることができるし、下側水位調整板９と上側水位調整板１０は調整する水位に応じて選択的に使用することができる。
【図面の簡単な説明】
【００２４】
【図１】本考案の実施の形態に係る水田用水位調整装置の全体構成を示す斜視図である。
【図２】水田用水位調整装置の中央縦断面図である。
【図３】水田用水位調整装置により水位を深水調整する説明図である。
【図４】水田用水位調整装置により水位を浅く調整する説明図である。
【符号の説明】
【００２５】
１        落口枡
２Ｂ      膨出部（変位防止部）
３Ｃ      水平上面（上端面）
３Ｅ      嵌合段部
６        蓋体
８        水位調整体
９Ａ      先端側
１３      水位調整目盛
５１      畦
５１Ａ    上面
【図１】
0003136112.tif 000003
【図２】
0003136112.tif 000004
【図３】
0003136112.tif 000005
【図４】
0003136112.tif 000006